(57)【要約】【課題】  サムネールを介して画像ファイルを閲覧することで、画像ファイルの識別を容易にし、受信側のオペレータの利便性を高めることができるネットワークファクシミリ装置を提供する。【解決手段】  イメージ画像が入力されているデバイスからイメージ画像を取得するデバイス入力手段１０と、取得したイメージ画像からサムネールを作成し、ＨＴＭＬ形式ファイルにサムネールを添付し、ＨＴＭＬ形式ファイルのサムネールをデバイス入力手段１０とリンクさせ、ＨＴＭＬ形式ファイルをメールで送信する制御を統括して司る中央制御手段６とを備えたネットワークファクシミリ装置。【選択図】        図１
2006229721.tif 000002
【特許請求の範囲】
【請求項１】
イメージ画像が入力されているデバイスからイメージ画像を取得するデバイス入力手段と、該デバイス入力手段により取得したイメージ画像からサムネールを作成し、ＨＴＭＬ形式ファイルに当該サムネールを添付し、ＨＴＭＬ形式ファイルのサムネールと前記デバイス入力手段をリンクさせ、ＨＴＭＬ形式ファイルをメールで送信する制御を統括して司る中央制御手段とを備えたことを特徴とするネットワークファクシミリ装置。
【請求項２】
イメージ画像を入力する読取手段と、取得したイメージ画像からサムネールを作成し、ＨＴＭＬ形式ファイルにサムネールを添付し、ＨＴＭＬ形式ファイルのサムネールと前記読取手段をリンクさせ、前記ＨＴＭＬ形式ファイルをメールで送信する制御を統括して司る中央制御手段とを備えたことを特徴とするネットワークファクシミリ装置。
【請求項３】
請求項１または２記載のネットワークファクシミリ装置がサーバーと接続されるネットワークファクシミリシステム。
【発明の詳細な説明】
【技術分野】
【０００１】
本発明は、電子メール送受信機能を備えたネットワークファクシミリ装置に関する。
【背景技術】
【０００２】
従来のネットワークファクシミリ装置は、簡易的にネットワーク（ＬＡＮ）スキャナとして使用する目的で利用されていた。その際アタッチされるファイル形式はＰＤＦ、ＴＩＦＦ、ＪＰＧ等が一般的である。
スキャナとして使用する際、自己への送信の場合オペレータの使い勝手で送信すればよいが、不特定多数の相手先の場合は、使い勝手が良いものでなく、例えば画像の識別性が悪くメールを見ただけでは添付ファイルを示すアイコンが見えるだけであり、メールサイズも大きい等の欠点があった。
そこでインターネットファクシミリ方式（ファクシミリのスキャナから読み込んだ画像を電子メールに添付して送信する方式）において、サーバー上に画像リンクが付随したＨＴＭＬ形式として画像を登録し、その頁のリンクを送信先に送信する技術が提案されている（例えば、特許文献１、特許文献２参照）。
【特許文献１】特開２０００−１０５７４０公報
【特許文献２】特開平１０−０６５８５３号公報
【発明の開示】
【発明が解決しようとする課題】
【０００３】
しかし、画像ファイルの識別を容易にし、受信側のオペレータの利便性を高める要求はさらに高まっている。
本発明は、サムネールを介して画像ファイルを閲覧することで、画像ファイルの識別を容易にし、受信側のオペレータの利便性を高めることができるネットワークファクシミリ装置を提供することを目的とする。
【課題を解決するための手段】
【０００４】
上記目的を達成するために、請求項１記載の発明は、イメージ画像が入力されているデバイスからイメージ画像を取得するデバイス入力手段と、該デバイス入力手段により取得したイメージ画像からサムネールを作成し、ＨＴＭＬ形式ファイルに当該サムネールを添付し、ＨＴＭＬ形式ファイルのサムネールと前記デバイス入力手段をリンクさせ、ＨＴＭＬ形式ファイルをメールで送信する制御を統括して司る中央制御手段とを備えたネットワークファクシミリ装置を最も主要な特徴とする。
請求項２記載の発明は、イメージ画像を入力する読取手段と、取得したイメージ画像からサムネールを作成し、ＨＴＭＬ形式ファイルにサムネールを添付し、ＨＴＭＬ形式ファイルのサムネールと前記読取手段をリンクさせ、前記ＨＴＭＬ形式ファイルをメールで送信する制御を統括して司る中央制御手段とを備えたネットワークファクシミリ装置を最も主要な特徴とする。
請求項３記載の発明は、請求項１または２記載のネットワークファクシミリ装置がサーバーと接続されるネットワークファクシミリシステムを最も主要な特徴とする。
【発明の効果】
【０００５】
本発明によれば、サムネールを介して、画像ファイルが閲覧できるので画像ファイルの識別が容易になり、受信側オペレータの利便性を増すことができる。
【発明を実施するための最良の形態】
【０００６】
以下、図面を参照して、本発明の実施形態を詳細に説明する。
図１は本発明の実施の形態に係るネットワークファクシミリ装置の機能ブロック図である。
操作表示部１には、電子メール宛先、サーバーアドレス登録等の操作表示を行うＬＣＤがある。読取部（スキャナ）２は、画情報（原稿）の読み取りを行う。書込部３は、受信原稿や各種レポートの書き込みを行う部分で印字動作を行う。バッファ４は、画情報をペリフェラル間でやり取りする場合に使用される。圧縮復号部５は、画情報の圧縮伸長動作を行い、画像をメールに添付する際の符号化（ＪＰＥＧ、ＴＩＦＦ他）処理を行う。
中央制御部６は、ＣＰＵ及びメインメモリを搭載し、ネットワークファクシミリ装置全体を制御する。中央制御部６で、操作表示部１で入力された操作情報等の判断を行い、ＬＣＤ表示（ガイダンス、アドレス表示）等の表示情報の指示を行う。またＥ−ｍａｉｌアドレス、宛先名称、ワンタッチダイアルを登録するシステムメモリも中央制御部６に存在する。
画情報蓄積部７は、画情報をファイルとして蓄積するメモリ部である。通信制御部８は、ネットワークファクシミリ装置の通信制御を行う。ＬＡＮポート９は、通信制御部８の制御を受け、サーバーとの直接のポートとなり、インターネット通信を行う。デバイス入力手段１０は、通信制御部８の制御を受け、オペレータからイメージデータを取得する直接のデバイス入力ポートとなる、ＵＳＢ、ＩＤＥ、カードスロット等のインターフェースである。
【０００７】
図２は本発明のネットワークファクシミリ装置における第１の制御例を示すフローチャートである。以下、各ステップ（Ｓ）ごとに説明する。
Ｓ１  オペレータが送信したいイメージ画像を入力しているデバイスを、デバイス入力手段１０にセットする。
Ｓ２  オペレータが、送信したい宛先に送信指示を行う。具体的には操作表示部１より、イメージデータの入力デバイスを指示し、送信先のメールアドレスを入力する。
Ｓ３  この状態でオペレータが送信したいイメージ画像を、デバイス入力手段１０より入力する。
Ｓ４  読み込んだ画像を間引いて、サムネール画像を作成する。間引き（縮小）は、中央制御部６によっても、圧縮復号部５によってもよい。なお、クリックすると大きな画像を表示する縮小画像をサムネールという。
Ｓ５  ＨＴＭＬ形式でファイルを作成する、その際Ｓ４で作成したサムネール画像を張り付ける。それぞれのサムネールには、デバイス入力手段１０の該当イメージを示すリンクを付帯してファイルが作成される。
Ｓ６  Ｓ４作成したＷｅｂファイルを、ＬＡＮポート９を用いてネットワークを介し、相手先に送信する。
図３は本発明のネットワークファクシミリ装置における第２の制御例を示すフローチャートである。以下、各ステップ（Ｓ）ごとに説明する。
Ｓ１１  オペレータが送信したいイメージ画像を、読取部２にセットする。
Ｓ１２  オペレータが、送信したい宛先に送信指示を行う。操作表示部１より、イメージデータの入力装置が読取部２であることを指示し、送信先のメールアドレスを入力する。
Ｓ１３  この状態でオペレータが送信したいイメージ画像を、読取部２より入力する。
Ｓ１４  読み込んだ画像を間引いて、サムネール画像を作成する。間引き（縮小）は、中央制御部６によっても、圧縮復号部５によってもよい。
Ｓ１５  ＨＴＭＬ形式でファイルを作成する。その際Ｓ１４で作成したサムネール画像を張り付ける。それぞれのサムネールには、読取部２を示すリンクを付帯して作成される。
Ｓ１６  受信側から、読取部２がアクセスされると、読取部２から画像データを読み込み、送信する。
【図面の簡単な説明】
【０００８】
【図１】本発明の実施の形態に係るネットワークファクシミリ装置の機能ブロック図。
【図２】本発明のネットワークファクシミリ装置における第１の制御例を示すフローチャート。
【図３】本発明のネットワークファクシミリ装置における第２の制御例を示すフローチャート。
【符号の説明】
【０００９】
２  読取部（読取手段）
６  中央制御部（中央制御手段）
１０  デバイス入力手段
【図１】
2006229721.tif 000003
【図２】
2006229721.tif 000004
【図３】
2006229721.tif 000005